【手続補正書】
【提出日】平成19年7月23日(2007.7.23)
【手続補正１】
【補正対象書類名】明細書
【補正対象項目名】特許請求の範囲
【補正方法】変更
【補正の内容】
【特許請求の範囲】
【請求項１】  縫合糸の複数の部分を一つに固定するための装置であって、
末端側端部及び基端側端部を備え、前記末端側端部は内視鏡作業空間への挿入に適している挿入ロッドと、
非結束の縫合糸の端部を内視鏡作業空間内で捕捉することができ、前記挿入ロッド内に摺動可能に配置され、かつ前記挿入ロッドの基端側端部から少なくとも縫合糸の一つの部分を把持するように操作可能である、前記縫合糸を把持するための第１の手段と、
前記挿入ロッドの末端側端部近傍に配置され、前記縫合糸を加熱する手段を有する、前記縫合糸を把持するための第２の手段とを備える、装置。
【請求項２】  前記把持のための第２の手段は、前記挿入ロッドの末端側先端に配置され、縫合糸の部分に対して開閉するように前記挿入ロッドの基端側端部から操作可能である一対の把持顎を備える、請求項１に記載の装置。
【請求項３】  前記縫合糸を加熱する手段は、前記把持顎の少なくもと一方に配置された加熱要素を備える、請求項２に記載の装置。
【請求項４】  前記把持のための第２の手段は、
前記挿入ロッド内にあり、末端側端部及び基端側端部を備える回転部材と、
前記挿入ロッドの末端側先端にあり、長手方向に配置された溝壁を有する溝孔と、
前記回転部材から径方向に突出して前記挿入ロッドの溝孔内へ外向きに突出し、前記長手方向に配置された溝壁と対向する把持面を構成する把持ボスとを備え、
前記回転部材は、前記把持ボスの把持面を前記長手方向に配置された溝壁に近接させるように、前記挿入ロッドの基端側端部から回転させることができる、請求項１に記載の装置。
【請求項５】  縫合糸の複数の部分を一つに固定するための装置であって、
末端側端部及び基端側端部を備えるバレルと、
非結束の縫合糸の端部を捕捉することができ、前記バレル内に摺動可能に配置され、かつ前記挿入ロッドの基端側端部から少なくとも縫合糸の一つの部分を把持するように操作可能である、前記縫合糸を把持するための第１の手段と、
前記バレルの末端側端部近傍に配置され、前記縫合糸を加熱する手段を有する、前記縫合糸を把持するための第２の手段と
を備える、装置。
【請求項６】  前記把持のための第２の手段は、前記バレルの末端側先端に配置され、縫合糸の部分に対して開閉するように前記バレルの基端側端部から操作可能である一対の把持顎を備える、請求項５に記載の装置。
【請求項７】  前記縫合糸を加熱する手段は、前記把持顎の少なくとも一方に配置された加熱要素を備える、請求項５に記載の装置。
【請求項８】  前記第２の把持手段は、
前記バレル内にあり、末端側端部及び基端側端部を備える回転部材と、
前記バレルの末端側先端にあり、長手方向に配置された溝壁を有する溝孔と、
前記回転部材から径方向に突出して前記バレルの溝孔内へ外向きに突出し、前記長手方向に配置された溝壁と対向する把持面を構成する把持ボスとを備え、
前記回転部材は、前記把持ボスの把持面を前記長手方向に配置された溝壁に近接させるように、前記バレルの基端側端部から回転させることができる、請求項５に記載の装置。
【請求項９】  縫合糸の複数の部分を一つに固定するための装置であって、
身体に挿入するための末端側端部と、基端側端部とを備え、前記基端側端部から末端側端部へ延びるルーメンを備える第１のロッドと、
前記第１のロッドの末端側端部に取り付けられ、前記縫合糸の部分に対して開閉するように前記第１のロッドの基端側端部から操作可能である、複数の対向する把持顎と、
前記把持顎の少なくとも一つに設けられ、前記縫合糸の部分に熱を印加するように操作可能である、加熱要素と、
末端側端部及び基端側端部を備え、縫合糸の部分を捕捉することができる捕捉構造を備え、前記第１のルーメン内に配置され、前記第１のロッド内を基端側に延び、かつ前記第１のロッドのルーメン内で長手方向に摺動及び回転するように前記第１のロッドの基端側端部から操作である、捕捉器とを備え、
前記捕捉器は、前記第１のロッドの末端側端部から延伸可能であり、かつ捕捉器に捕捉されたすべての縫合糸の部分が把持顎の近傍に引き込まれるように、前記第１のロッドの末端側端部に格納可能である、装置。
【請求項１０】  前記把持のための第１の手段は、前記挿入ロッド内に摺動可能に配置され、前記縫合糸を把持するための前記第１の手段に操作可能に接続され、前記挿入ロッドの基端側端部から操作可能な捕捉ロッドと、
２つの分岐したアームが前記捕捉ロッドと共にＹ字形状をなすように、前記捕捉ロッドから延び、外側表面と内側表面を有する複数の分岐したアームと、
をさらに備える、請求項３に記載の装置。
【請求項１１】  前記逢合糸を把持するための前記第１の手段は、個々のアームの前記外側表面に配置された少なくとも１つのボスをさらに備える、請求項１０に記載の装置。
【請求項１２】  前記縫合糸を把持するための前記第１の手段は操作可能に捕捉ロッドに取り付けられ、前記捕捉ロッドは摺動可能に前記バレル内に配置され、前記捕捉ロッドは前記バレルの前記基端側端部から操作可能であり、
前記捕捉ロッド上にねじが配置され、このねじを回転すると前記捕捉ロッドも回転し、前記ねじは基端側端部と末端側端部とねじ山を備え、
前記ねじ山とスライドヨークが係合し、このスライドヨークの移動が前記ねじと前記捕捉ロッドの回転を引き起こし、前記スライドヨークは使用者によって操作可能である、請求項７に記載の装置。
【請求項１３】  前記ねじの前記基端側端部上に配置され、かつ前記捕捉ロッド上に配置される第１の止め板をさらに備え、
前記スライドヨークが前記第１の止め板に基端側へ引き込まれると、前記スライドヨークがさらに基端側へ移動して前記第１の止め板を前記バレル内へ基端側へ押し、それにより前記捕捉ロッドを前記バレル内へ引き込む、請求項１３に記載の装置。
【請求項１４】  前記バレルの前記基端側端部かつ前記第１の止め板に対して基端側に配置され、前記把持顎を閉じるための手段へ操作可能に接続された第２の止め板をさらに備え、
前記第１の止め板が前記第２の止め板に基端側へ引き込まれると、前記第１の止め板がさらに移動して前記第２の止め板を基端側へ押し、それにより前記把持顎を閉じる、
請求項１３に記載の装置。
【請求項１５】  操作可能に前記スライドヨークへ接続された付勢要素をさらに備え、前記スライドヨークは末端側に移動するように付勢されている、請求項１４に記載の装置。
【請求項１６】  前記縫合糸を把持するための前記第１の手段は２つの弓形分岐部を備え、個々の分岐部は前記捕捉ロッドから末端側に延び、まず前記捕捉ロッドの長軸から外方へ湾曲し、次に末端側先端で合流するように前記捕捉ロッドの前記長軸へ向かって内方に湾曲する、請求項１４に記載の装置。
【請求項１７】  前記縫合糸を把持するための前記第１の手段は、前記捕捉ロッドと共にＹ字型をなすように前記捕捉ロッドから延びる２つの分岐したアームを備え、前記分岐したアームは外側表面と内側表面とを有する、請求項１４に記載の装置。
【請求項１８】  前記縫合糸を把持するための前記第１の手段は、個々のアームの前記外側表面上に配置された少なくとも１つのボスをさらに備える、請求項１７に記載の装置。
【請求項１９】  前記縫合糸を把持するための前記第１の手段は、
前記捕捉ロッドから末端側に延びる第１の弓形分岐部と、
前記第１の弓形分岐部の前記末端側端部から基端側に延び、前記捕捉ロッドへ向かって部分的にのみ延びる第２の弓形分岐部と、
を備える、請求項１４に記載の装置。
【請求項２０】  縫合糸の複数の部分を一つに固定するための装置であって、
末端側端部及び基端側端部を有し、前記末端側端部は内視鏡作業空間への挿入に適している挿入ロッドと、
非結束の縫合糸の端部を内視鏡作動空間内で捕捉することができ、前記挿入ロッド内に摺動可能に配置され、かつ前記挿入ロッドの前記基端測端部から少なくとも縫合糸の１つの部分を把持するように操作可能である、第１の縫合糸の把持器と、
前記挿入ロッドの前記末端側端部近傍に配置され、加熱要素を有する第２の縫合糸の把持器と、
前記挿入ロッド内の回転部材と、
前記挿入ロッドの前記末端側先端の溝孔と、
前記回転部材から径方向に突出して前記挿入ロッドの溝孔内へ外向きに突出し、前記回転部材は末端側端部と基端側端部とを有し、前記溝孔は前記長手方向に配置された溝壁を構成し、前記把持ボスは前記長手方向に配置された溝壁と対向する把持面を構成し、前記回転部材は前記把持ボスの把持面を前記長手方向に配置された溝壁に近接させるように、前記挿入ロッドの前記基端側端部から回転させることができる、前記把持ボスと、
を備える装置。
【請求項２１】  縫合糸の複数の部分を一つに固定するための装置であって、
末端側端部と基端側端部とを有するバレルと、
非結束の縫合糸の端部を捕捉することができ、前記バレル内に摺動可能に配置され、かつ前記バレルの前記基端測端部から少なくとも縫合糸の１つの部分を把持するように操作可能である、第１の縫合糸の把持器と、
前記バレルの前記末端側端部近傍に配置され、加熱要素と、前記バレル内の回転部材と、前記バレルの前記末端側端部の溝孔と、前記回転部材から径方向に突出して前記挿入ロッドの溝孔内へ外向きに突出する把持ボスとを有し、前記回転部材は末端側端部と基端側端部とを有し、前記溝孔は長手方向に配置された溝壁を構成し、前記把持ボスは前記長手方向に配置された溝壁と対向する把持面を構成し、前記回転部材は、前記把持ボスの把持面を前記長手方向に配置された溝壁に近接させるように、前記バレルの前記基端側端部から回転させることができる、第２の縫合糸の把持器と、
を備える装置。
【請求項２２】  縫合糸の複数の部分を一つに固定するための方法であって、
末端側端部及び基端側端部を有し、前記末端側端部は内視鏡作業空間への挿入に適している挿入ロッドと、
非結束の縫合糸の端部を内視鏡作業空間内で捕捉することができ、前記挿入ロッド内に摺動可能に配置され、かつ前記挿入ロッドの前記基端側端部から少なくとも縫合糸の１つの部分を把持するように操作可能である、前記縫合糸を把持するための第１の手段と、
前記挿入ロッドへ操作可能に取り付けられ、前記挿入ロッドの前記末端側端部近傍に配置され、前記縫合糸を加熱する手段を有する、前記縫合糸を把持するための第２の手段と、
を備える縫合糸の複数の部分を１つに固定するための装置を準備し、
前記縫合糸を把持するために前記第１の手段と共に前記縫合糸の非結束の縫合糸を把持し、
その後、前記縫合糸を把持するために前記第２の手段と共に前記縫合糸の非結束の縫合糸を把持し、
前記非結束の縫合糸の端部が溶けるまで、前記非結束の前記縫合糸の端部を加熱する、
段階を備える方法。
【請求項２３】  前記縫合糸を把持するための前記第２の手段と共に前記非結束の前記縫合糸の端部を把持する前記段階の前に、前記縫合糸の前記非結束の端部を前記挿入ロッドへ引き込む段階をさらに備える請求項２２に記載の方法。
【請求項２４】  前記縫合糸を把持するための前記第２の手段と共に前記縫合糸の前記非結束の端部を把持する段階の前に、前記縫合糸の前記非結束の端部をねじって、ねじれにする段階をさらに備える請求項２３に記載の方法。